(57)【要約】【課題】  使用者の嗜好と関連性が高い情報を提供する。【解決手段】  情報送信サーバーは、携帯端末を介して、使用者によって設定され、使用者の嗜好を、ユーザーＩＤごとに記録したユーザー情報テーブルと、施設の種類と、施設の位置情報と、施設に設置された集計用通信装置の識別情報を、施設ＩＤごとに記録した施設情報テーブルと、配信用通信装置の位置情報を、配信装置ＩＤごとに記録した配信用通信装置情報テーブルとを記録する。情報送信サーバーは、携帯端末が配信用通信装置と通信した時に、配信用通信装置の識別情報と、携帯端末にログインしている使用者のユーザーＩＤを含む第２情報を受信し、ユーザー情報テーブルと施設情報テーブルと配信用通信装置情報テーブルに基づいて、第２情報に含まれる識別情報に対応する配信用通信装置から一定距離の範囲内にあり、集計用通信装置を設置した施設に関する情報を、第２情報を送信した携帯端末に送信する。【選択図】図２２
2017204051.tif 000002
【特許請求の範囲】
【請求項１】
携帯端末を介して、使用者によって設定され、前記使用者の性別と生年月日と出身地と嗜好と使用言語に関する情報のうち少なくとも１つを、前記使用者の識別情報であるユーザーＩＤごとに記録したユーザー情報テーブルと、
少なくとも、施設の種類と、前記施設の位置情報と、前記施設に設置された集計用通信装置の識別情報を、前記施設の識別情報である施設ＩＤごとに記録した施設情報テーブルと、
配信用通信装置の位置情報を、前記配信用通信装置の識別情報である配信装置ＩＤごとに記録した配信用通信装置情報テーブルとを記録する情報送信サーバーであって、
前記情報送信サーバーは、前記携帯端末が前記集計用通信装置と通信した時に、前記集計用通信装置の識別情報と、前記ユーザーＩＤであって前記携帯端末にログインしている使用者のものを含む第１情報を前記携帯端末から受信し、
前記情報送信サーバーは、前記第１情報と前記施設情報テーブルに基づいて、前記第１情報に含まれる前記ユーザーＩＤと、前記集計用通信装置の識別情報に対応する前記施設ＩＤと、前記第１情報の受信時間情報とを通信記録テーブルに記録し、
前記情報送信サーバーは、前記携帯端末が前記配信用通信装置と通信した時に、前記配信用通信装置の識別情報と、前記ユーザーＩＤであって前記携帯端末にログインしている使用者のものを含む第２情報を前記携帯端末から受信し、
前記情報送信サーバーは、前記ユーザー情報テーブルと前記施設情報テーブルと前記配信用通信装置情報テーブルと前記通信記録テーブルに基づいて、前記第２情報に含まれる識別情報に対応する前記配信用通信装置から一定距離の範囲内にあって、前記集計用通信装置を設置した施設に関する情報を、前記第２情報を送信した携帯端末に送信することを特徴とする情報送信サーバー。
【請求項２】
前記情報送信サーバーは、前記第１情報と前記施設情報テーブルに基づいて、前記集計用通信装置であって前記第１情報に含まれる識別情報に対応するものが設置された場所の気象情報である集計用通信装置気象情報を取得し、
前記情報送信サーバーは、前記集計用通信装置気象情報と前記第１情報と前記施設情報テーブルに基づいて、前記第１情報に含まれる前記ユーザーＩＤと、前記集計用通信装置の識別情報に対応する前記施設ＩＤと、前記第１情報の受信時間情報と、前記集計用通信装置気象情報を前記通信記録テーブルに記録し、
前記情報送信サーバーは、前記第２情報と前記配信用通信装置情報テーブルに基づいて、前記配信用通信装置であって前記第２情報に含まれる識別情報に対応するものが設置された場所の気象情報である配信用通信装置気象情報を取得し、
前記情報送信サーバーは、前記ユーザー情報テーブルと前記施設情報テーブルと前記配信用通信装置情報テーブルと前記配信用通信装置気象情報と前記通信記録テーブルに基づいて、前記第２情報に含まれる識別情報に対応する前記配信用通信装置から前記一定距離の範囲内にあって、前記集計用通信装置を設置した施設に関する情報を、前記第２情報を送信した携帯端末に送信することを特徴とする請求項１に記載の情報送信サーバー。
【請求項３】
前記情報送信サーバーは、前記ユーザー情報テーブルと、前記施設情報テーブルと、前記配信用通信装置気象情報とに基づいて、前記通信記録テーブルの中から、前記第２情報を送信した前記携帯端末の使用者に関する情報と所定の抽出条件において重複する通信記録を抽出する抽出工程を行い、
前記情報送信サーバーは、前記抽出工程で抽出された通信記録の中から、多く抽出された施設種類を特定する特定工程を行い、
前記情報送信サーバーは、前記集計用通信装置を設置した施設で且つ前記第２情報に含まれる識別情報に対応する前記配信用通信装置から前記一定距離の範囲内にあって、前記特定工程で特定された施設種類に属するものに関する情報を、前記第２情報を送信した携帯端末に送信することを特徴とする請求項２に記載の情報送信サーバー。
【請求項４】
前記抽出工程で抽出された通信記録における所定数以上を占める施設種類、若しくは所定割合以上を占める施設種類が、前記特定工程で特定されることを特徴とする請求項３に記載の情報送信サーバー。
【請求項５】
前記情報送信サーバーが前記第２情報を受信した時から第１時間以内に、前記第２情報を送信した携帯端末が、前記第１情報を送信していた場合には、前記情報送信サーバーは、前記携帯端末が送信した前記第１情報に含まれる識別情報に対応する前記集計用通信装置が設置された前記施設の種類を示す第１施設種類と予め設定された施設種類を示す第２施設種類とで一致した施設種類を示す第３施設種類に関する情報と、前記ユーザー情報テーブルと前記施設情報テーブルと前記配信用通信装置情報テーブルと前記通信記録テーブルに基づいて、前記第２情報に含まれる識別情報に対応する前記配信用通信装置から前記一定距離の範囲内にあって、前記集計用通信装置を設置した前記施設のうち、前記特定工程で特定された施設種類から前記第３施設種類を除外した施設種類に属するものに関する情報を、前記第２情報を送信した携帯端末に送信することを特徴とする請求項３に記載の情報送信サーバー。
【請求項６】
前記ユーザー情報テーブルは、前記使用言語に関する情報を、前記ユーザーＩＤごとに記録するものであり、
前記情報送信サーバーは、前記ユーザー情報テーブルと前記施設情報テーブルと前記配信用通信装置情報テーブルと前記通信記録テーブルに基づいて、前記第２情報に含まれる識別情報に対応する前記配信用通信装置から前記一定距離の範囲内にあって、前記集計用通信装置を設置した施設に関する情報を、前記ユーザー情報テーブルで設定された前記使用言語で、前記第２情報を送信した携帯端末に送信することを特徴とする請求項１に記載の情報送信サーバー。
【請求項７】
前記情報送信サーバーが前記第２情報を受信した時から第１時間以内に、前記第２情報を送信した携帯端末が、前記第１情報を送信していた場合には、前記情報送信サーバーは、前記携帯端末が送信した前記第１情報に含まれる識別情報に対応する前記集計用通信装置が設置された前記施設の種類を示す第１施設種類と予め設定された施設種類を示す第２施設種類とで一致した施設種類を示す第３施設種類に関する情報と、前記ユーザー情報テーブルと前記施設情報テーブルと前記配信用通信装置情報テーブルと前記通信記録テーブルに基づいて、前記第２情報に含まれる識別情報に対応する前記配信用通信装置から前記一定距離の範囲内にあって、前記集計用通信装置を設置した前記施設に関する情報を、前記第２情報を送信した携帯端末に送信することを特徴とする請求項１に記載の情報送信サーバー。
【請求項８】
前記情報送信サーバーは、前記第２情報に含まれる識別情報に対応する前記配信用通信装置から前記一定距離の範囲内にあって、前記集計用通信装置を設置した前記施設のうち前記第３施設種類に属さないものに関する情報を、前記第２情報を送信した携帯端末に送信することを特徴とする請求項７に記載の情報送信サーバー。
【請求項９】
複数の集計用通信装置と、
複数の配信用通信装置と、
携帯端末を介して、使用者によって設定され、前記使用者の性別と生年月日と出身地と嗜好と使用言語に関する情報のうち少なくとも１つを、前記使用者の識別情報であるユーザーＩＤごとに記録したユーザー情報テーブルと、少なくとも、施設の種類と、前記施設の位置情報と、前記施設に設置された前記集計用通信装置の識別情報を、前記施設の識別情報である施設ＩＤごとに記録した施設情報テーブルと、前記配信用通信装置の位置情報を、前記配信用通信装置の識別情報である配信装置ＩＤごとに記録した配信用通信装置情報テーブルとを記録する情報送信サーバーを備え、
前記情報送信サーバーは、前記携帯端末が前記集計用通信装置と通信した時に、前記集計用通信装置の識別情報と、前記ユーザーＩＤであって前記携帯端末にログインしている使用者のものを含む第１情報を前記携帯端末から受信し、
前記情報送信サーバーは、前記第１情報と前記施設情報テーブルに基づいて、前記第１情報に含まれる前記ユーザーＩＤと、前記集計用通信装置の識別情報に対応する前記施設ＩＤと、前記第１情報の受信時間情報とを通信記録テーブルに記録し、
前記情報送信サーバーは、前記携帯端末が前記配信用通信装置と通信した時に、前記配信用通信装置の識別情報と、前記ユーザーＩＤであって前記携帯端末にログインしている使用者のものを含む第２情報を前記携帯端末から受信し、
前記情報送信サーバーは、前記ユーザー情報テーブルと前記施設情報テーブルと前記配信用通信装置情報テーブルと前記通信記録テーブルに基づいて、前記第２情報に含まれる識別情報に対応する前記配信用通信装置から一定距離の範囲内にあって、前記集計用通信装置を設置した施設に関する情報を、前記第２情報を送信した携帯端末に送信することを特徴とする情報送信システム。
【発明の詳細な説明】
【技術分野】
【０００１】
本発明は、情報送信サーバーなどに関する。
【背景技術】
【０００２】
特許文献１などで、広告対象物の広告情報を使用者の端末にプッシュ通知するシステムが提案されている。
【先行技術文献】
【特許文献】
【０００３】
【特許文献１】特開２０１０−０５５３５２号公報
【発明の概要】
【発明が解決しようとする課題】
【０００４】
しかしながら、広告情報を送信する使用者本人の予定情報などに基づくものであり、使用者本人が設定していない属性や嗜好などに関連する情報を提供することが出来ない。
【０００５】
したがって本発明の目的は、使用者の属性や嗜好と関連性が高い情報を提供する情報送信サーバーなどを提供することである。
【課題を解決するための手段】
【０００６】
本発明に係る情報送信サーバーは、携帯端末を介して、使用者によって設定され、使用者の性別と生年月日と出身地と嗜好と使用言語に関する情報のうち少なくとも１つを、使用者の識別情報であるユーザーＩＤごとに記録したユーザー情報テーブルと、少なくとも、施設の種類と、施設の位置情報と、施設に設置された集計用通信装置の識別情報を、施設の識別情報である施設ＩＤごとに記録した施設情報テーブルと、配信用通信装置の位置情報を、配信用通信装置の識別情報である配信装置ＩＤごとに記録した配信用通信装置情報テーブルとを記録する情報送信サーバーであって、情報送信サーバーは、携帯端末が集計用通信装置と通信した時に、集計用通信装置の識別情報と、ユーザーＩＤであって携帯端末にログインしている使用者のものを含む第１情報を携帯端末から受信し、情報送信サーバーは、第１情報と施設情報テーブルに基づいて、第１情報に含まれるユーザーＩＤと、集計用通信装置の識別情報に対応する施設ＩＤと、第１情報の受信時間情報とを通信記録テーブルに記録し、情報送信サーバーは、携帯端末が配信用通信装置と通信した時に、配信用通信装置の識別情報と、ユーザーＩＤであって携帯端末にログインしている使用者のものを含む第２情報を携帯端末から受信し、情報送信サーバーは、ユーザー情報テーブルと施設情報テーブルと配信用通信装置情報テーブルと通信記録テーブルに基づいて、第２情報に含まれる識別情報に対応する配信用通信装置から一定距離の範囲内にあって、集計用通信装置を設置した施設に関する情報を、第２情報を送信した携帯端末に送信する。
【０００７】
配信用通信装置の近くに居る使用者の携帯端末に対して当該使用者の行動傾向に合わせた情報を提供することが可能になる。
特に、使用者の行動傾向には、使用者本人の属性や嗜好だけでなく、当該使用者の属性や嗜好に近い他人の行動傾向（例：使用者と同性で同年代の人は、晴れの日にカフェに行く傾向が強いなど）も含まれるため、使用者本人が気づいていない（ユーザー情報テーブルに設定されていない）嗜好なども含めた行動傾向に基づいて、使用者の属性や嗜好と関連性が高い情報（使用者が興味を示す可能性が高い情報）を提供することが可能になる。
【０００８】
好ましくは、情報送信サーバーは、第１情報と施設情報テーブルに基づいて、集計用通信装置であって第１情報に含まれる識別情報に対応するものが設置された場所の気象情報である集計用通信装置気象情報を取得し、情報送信サーバーは、集計用通信装置気象情報と第１情報と施設情報テーブルに基づいて、第１情報に含まれるユーザーＩＤと、集計用通信装置の識別情報に対応する施設ＩＤと、第１情報の受信時間情報と、集計用通信装置気象情報を通信記録テーブルに記録し、情報送信サーバーは、第２情報と配信用通信装置情報テーブルに基づいて、配信用通信装置であって第２情報に含まれる識別情報に対応するものが設置された場所の気象情報である配信用通信装置気象情報を取得し、情報送信サーバーは、ユーザー情報テーブルと施設情報テーブルと配信用通信装置情報テーブルと配信用通信装置気象情報と通信記録テーブルに基づいて、第２情報に含まれる識別情報に対応する配信用通信装置から一定距離の範囲内にあって、集計用通信装置を設置した施設に関する情報を、第２情報を送信した携帯端末に送信する。
【０００９】
さらに好ましくは、情報送信サーバーは、ユーザー情報テーブルと、施設情報テーブルと、配信用通信装置気象情報とに基づいて、通信記録テーブルの中から、第２情報を送信した携帯端末の使用者に関する情報と所定の抽出条件において重複する通信記録を抽出する抽出工程を行い、情報送信サーバーは、抽出工程で抽出された通信記録の中から、多く抽出された施設種類を特定する特定工程を行い、情報送信サーバーは、集計用通信装置を設置した施設で且つ第２情報に含まれる識別情報に対応する配信用通信装置から一定距離の範囲内にあって、特定工程で特定された施設種類に属するものに関する情報を、第２情報を送信した携帯端末に送信する。
【００１０】
さらに好ましくは、抽出工程で抽出された通信記録における所定数以上を占める施設種類、若しくは所定割合以上を占める施設種類が、特定工程で特定される。
【００１１】
また、好ましくは、情報送信サーバーが第２情報を受信した時から第１時間以内に、第２情報を送信した携帯端末が、第１情報を送信していた場合には、情報送信サーバーは、携帯端末が送信した第１情報に含まれる識別情報に対応する集計用通信装置が設置された施設の種類を示す第１施設種類と予め設定された施設種類を示す第２施設種類とで一致した施設種類を示す第３施設種類に関する情報と、ユーザー情報テーブルと施設情報テーブルと配信用通信装置情報テーブルと通信記録テーブルに基づいて、第２情報に含まれる識別情報に対応する配信用通信装置から一定距離の範囲内にあって、集計用通信装置を設置した施設のうち、特定工程で特定された施設種類から第３施設種類を除外した施設種類に属するものに関する情報を、第２情報を送信した携帯端末に送信する。
【００１２】
また、好ましくは、ユーザー情報テーブルは、使用言語に関する情報を、ユーザーＩＤごとに記録するものであり、情報送信サーバーは、ユーザー情報テーブルと施設情報テーブルと配信用通信装置情報テーブルと通信記録テーブルに基づいて、第２情報に含まれる識別情報に対応する配信用通信装置から一定距離の範囲内にあって、集計用通信装置を設置した施設に関する情報を、ユーザー情報テーブルで設定された使用言語で、第２情報を送信した携帯端末に送信する。
【００１３】
また、好ましくは、情報送信サーバーが第２情報を受信した時から第１時間以内に、第２情報を送信した携帯端末が、第１情報を送信していた場合には、情報送信サーバーは、携帯端末が送信した第１情報に含まれる識別情報に対応する集計用通信装置が設置された施設の種類を示す第１施設種類と予め設定された施設種類を示す第２施設種類とで一致した施設種類を示す第３施設種類に関する情報と、ユーザー情報テーブルと施設情報テーブルと配信用通信装置情報テーブルと通信記録テーブルに基づいて、第２情報に含まれる識別情報に対応する配信用通信装置から一定距離の範囲内にあって、集計用通信装置を設置した施設に関する情報を、第２情報を送信した携帯端末に送信する。
【００１４】
さらに好ましくは、情報送信サーバーは、第２情報に含まれる識別情報に対応する配信用通信装置から一定距離の範囲内にあって、集計用通信装置を設置した施設のうち第３施設種類に属さないものに関する情報を、第２情報を送信した携帯端末に送信する。
【００１５】
本発明に係る情報送信システムは、複数の集計用通信装置と、複数の配信用通信装置と、携帯端末を介して、使用者によって設定され、使用者の性別と生年月日と出身地と嗜好と使用言語に関する情報のうち少なくとも１つを、使用者の識別情報であるユーザーＩＤごとに記録したユーザー情報テーブルと、少なくとも、施設の種類と、施設の位置情報と、施設に設置された集計用通信装置の識別情報を、施設の識別情報である施設ＩＤごとに記録した施設情報テーブルと、配信用通信装置の位置情報を、配信用通信装置の識別情報である配信装置ＩＤごとに記録した配信用通信装置情報テーブルとを記録する情報送信サーバーを備え、情報送信サーバーは、携帯端末が集計用通信装置と通信した時に、集計用通信装置の識別情報と、ユーザーＩＤであって携帯端末にログインしている使用者のものを含む第１情報を携帯端末から受信し、情報送信サーバーは、第１情報と施設情報テーブルに基づいて、第１情報に含まれるユーザーＩＤと、集計用通信装置の識別情報に対応する施設ＩＤと、第１情報の受信時間情報とを通信記録テーブルに記録し、情報送信サーバーは、携帯端末が配信用通信装置と通信した時に、配信用通信装置の識別情報と、ユーザーＩＤであって携帯端末にログインしている使用者のものを含む第２情報を携帯端末から受信し、情報送信サーバーは、ユーザー情報テーブルと施設情報テーブルと配信用通信装置情報テーブルと通信記録テーブルに基づいて、第２情報に含まれる識別情報に対応する配信用通信装置から一定距離の範囲内にあって、集計用通信装置を設置した施設に関する情報を、第２情報を送信した携帯端末に送信する。
【発明の効果】
【００１６】
以上のように本発明によれば、使用者の属性や嗜好と関連性が高い情報を提供する情報送信サーバーなどを提供することができる。
【図面の簡単な説明】
【００１７】
【図１】本実施形態における情報送信システムの構成図である。
【図２】第１テーブル（性別テーブル）のコンテンツを示す図である。
【図３】第２テーブル（出身地テーブル）のコンテンツを示す図である。
【図４】第３テーブル（使用言語テーブル）のコンテンツを示す図である。
【図５】第４テーブル（職業メインカテゴリーテーブル）のコンテンツを示す図である。
【図６】第５テーブル（職業サブカテゴリーテーブル）のコンテンツを示す図である。
【図７】第６テーブル（趣味テーブル）のコンテンツを示す図である。
【図８】第７テーブル（色テーブル）のコンテンツを示す図である。
【図９】第８テーブル（季節テーブル）のコンテンツを示す図である。
【図１０】第９テーブル（天気テーブル）のコンテンツを示す図である。
【図１１】第１０テーブル（時間帯テーブル）のコンテンツを示す図である。
【図１２】第１１テーブル（ファッションテーブル）のコンテンツを示す図である。
【図１３】第１２テーブル（ブランドテーブル）のコンテンツを示す図である。
【図１４】第１３テーブル（食べ物テーブル）のコンテンツを示す図である。
【図１５】ユーザー情報テーブルのコンテンツを示す図である。
【図１６】施設情報テーブルのコンテンツを示す図である。
【図１７】配信用通信装置情報テーブルのコンテンツを示す図である。
【図１８】通信記録テーブル（行動統計テーブル）のコンテンツを示す図である。
【図１９】情報コンテンツテーブルのコンテンツを示す図である。
【図２０】抽出条件テーブルのコンテンツを示す図である。
【図２１】カテゴリーテーブルのコンテンツを示す図である。
【図２２】携帯端末から第１情報〜第３情報を受信した後の情報送信サーバーの動作手順を示すフローチャートである。
【図２３】パターン１を所定の抽出条件として抽出工程を行った結果を示す例である。
【図２４】パターン２を所定の抽出条件として抽出工程を行った結果を示す例である。
【発明を実施するための形態】
【００１８】
以下、本実施形態について、図を用いて説明する。本実施形態における情報送信システム１は、情報送信サーバー３０、複数の携帯端末Ａ、複数の集計用通信装置Ｃ、配信用通信装置Ｄを備える（図１参照）。
【００１９】
集計用通信装置Ｃのそれぞれは、近距離無線通信の無線通信手段を有し、店舗（カフェ、レストラン、服飾店など）、観光施設など、情報送信サーバー３０が携帯端末Ａに送信する情報（広告など）に対応する施設ＦＡに配置される。
【００２０】
配信用通信装置Ｄのそれぞれは、近距離無線通信の無線通信手段を有し、集計用通信装置Ｃが設置された施設ＦＡから一定距離ｄ（例えば、１ｋｍ）の範囲内など、情報送信サーバー３０が配信用通信装置Ｄの近くにある携帯端末Ａに対して情報を受信させるのに適切と思われる場所に設置される。
【００２１】
ここでいう近距離無線通信の無線通信手段は、当該無線通信手段をオン状態にしている間、外部に自身の識別情報を発信するもので、ＩＥＥＥ８０２．１５．１（Ｂｌｕｅｔｏｏｔｈ（登録商標））や、ＩＥＥＥ８０２．１１（無線ＬＡＮ）など、が考えられる。
【００２２】
図１は、８つの施設ＦＡ（第１施設ＦＡ１〜第８施設ＦＡ８）のそれぞれに集計用通信装置Ｃ（第１集計用通信装置Ｃ１〜第８集計用通信装置Ｃ８）が設けられ、当該８つの施設ＦＡの近くに３台の配信用通信装置Ｄ（第１配信用通信装置Ｄ１〜第３配信用通信装置Ｄ３）が設けられ、８台の集計用通信装置や３台の配信用通信装置Ｄの周囲に５台の携帯端末Ａ（第１携帯端末Ａ１〜第５携帯端末Ａ５を所持する使用者：不図示）が位置している情報送信システム１の例を示す。
【００２３】
また、第１施設ＦＡ１〜第３施設ＦＡ３（第１集計用通信装置Ｃ１〜第３集計用通信装置Ｃ３）は、第１配信用通信装置Ｄ１から一定距離ｄの範囲内にあり、第３施設ＦＡ３〜第５施設ＦＡ５（第３集計用通信装置Ｃ３〜第５集計用通信装置Ｃ５）は、第２配信用通信装置Ｄ２から一定距離ｄの範囲内にあり、第６施設ＦＡ６〜第８施設ＦＡ８（第６集計用通信装置Ｃ６〜第８集計用通信装置Ｃ８）は、第３配信用通信装置Ｄ３から一定距離ｄの範囲内にあるとして説明する。
【００２４】
ただし、携帯端末Ａ、集計用通信装置Ｃ、配信用通信装置Ｄの台数は、一例でありこれらの台数に限られるものではない。
また、以下で示すテーブルは、図１で図示しないものを含めて、携帯端末Ａ、集計用通信装置Ｃ、配信用通信装置Ｄが数十台以上設けられた例を示す。
【００２５】
情報送信サーバー３０は、携帯端末Ａ（第１携帯端末Ａ１〜第５携帯端末Ａ５）や他の端末とネットワークを介して通信する通信部３１と、第１テーブルＴ１などを記録し後述する情報送信プログラムがインストールされた記録部３３と、通信部３１や記録部３３を制御する制御部３５を有する。
【００２６】
記録部３３は、使用者に関する情報を作成するために使用されるユーザー情報項目テーブル群ＴＸを記録する。
【００２７】
具体的には、記録部３３は、ユーザー情報項目テーブル群ＴＸとして、使用者の性別を選択するために使用される第１テーブルＴ１（性別テーブル、図２参照）、使用者の出身地を選択するために使用される第２テーブルＴ２（出身地テーブル、図３参照）、使用者の使用言語を選択するために使用される第３テーブルＴ３（使用言語テーブル、図４参照）、使用者の職業のメインカテゴリーを選択するために使用される第４テーブルＴ４（職業メインカテゴリーテーブル、図５参照）、使用者の職業のサブカテゴリーを選択するために使用される第５テーブルＴ５（職業サブカテゴリーテーブル、図６参照）、使用者の趣味を選択するために使用される第６テーブルＴ６（趣味テーブル、図７参照）、使用者の好きな色を選択するために使用される第７テーブルＴ７（色テーブル、図８参照）、使用者の好きな季節を選択するために使用される第８テーブルＴ８（季節テーブル、図９参照）、使用者の好きな天気を選択するために使用される第９テーブルＴ９（天気テーブル、図１０参照）、使用者の好きな時間帯を選択するために使用される第１０テーブルＴ１０（時間帯テーブル、図１１参照）、使用者の好きなファッションを選択するために使用される第１１テーブルＴ１１（ファッションテーブル、図１２参照）、使用者の好きなブランドを選択するために使用される第１２テーブルＴ１２（ブランドテーブル、図１３参照）、使用者の好きな食べ物を選択するために使用される第１３テーブルＴ１３（食べ物テーブル、図１４参照）を記録する。
【００２８】
第１テーブルＴ１〜第１３テーブルＴ１３は、情報送信サーバー３０と通信可能な端末Ｂ（テーブル設定用端末）を介して設定される。
【００２９】
また、第２情報（配信用通信装置関連通信情報）ｉ２を情報送信サーバー３０に送信した携帯端末Ａに対して、情報送信サーバー３０が送信する情報（広告など）を特定するために使用される情報送信テーブル群ＴＹを記録する。
【００３０】
具体的には、記録部３３は、情報送信テーブル群ＴＹとして、使用者ごとの嗜好などを記録したユーザー情報テーブルＴＵ（図１５参照）、集計用通信装置Ｃが設置された施設ＦＡの情報を記録した施設情報テーブルＴＳ（図１６参照）、配信用通信装置Ｄが設置された場所を記録した配信用通信装置情報テーブルＴＤ（図１７参照）、使用者が集計用通信装置と近距離無線通信を行った情報を記録した通信記録テーブルＴＴ（行動統計テーブル、図１８参照）、配信用通信装置Ｄと通信した携帯端末Ａに送信する情報を記録した情報コンテンツテーブルＴＡ（図１９参照）、通信記録テーブルＴＴの中から特定の通信記録を抽出するための抽出条件を記録した抽出条件テーブルＴＥ（図２０参照）、施設情報テーブルＴＳにおける施設種類（施設メインカテゴリー、施設サブカテゴリー）のコード設定に使用されるカテゴリーテーブルＴＣ（図２１参照）を記録する。
【００３１】
ユーザー情報テーブルＴＵは、使用者に関する情報として、性別と生年月日と出身地と使用言語と嗜好に関する情報のうち少なくとも１つを使用者ごとに（使用者の識別情報であるユーザーＩＤごとに）記録したものである。
【００３２】
施設情報テーブルＴＳは、集計用通信装置Ｃが設置された施設ＦＡに関する情報として、少なくとも、施設種類（メインカテゴリー、サブカテゴリー）と、位置情報（緯度経度情報）と、設置した集計用通信装置Ｃの識別情報（通信装置識別子）を、施設ＦＡごとに（施設ＦＡの識別情報である施設ＩＤごとに）記録したものである。
【００３３】
配信用通信装置情報テーブルＴＤは、配信用通信装置Ｄに関する情報として、少なくとも、位置情報（緯度経度情報）と、配信用通信装置Ｄの識別情報（通信装置識別子）を、配信用通信装置Ｄごとに（配信装置ＩＤごとに）記録したものである。
【００３４】
情報コンテンツテーブルＴＡは、情報送信サーバー３０から携帯端末Ａに送信する情報に含まれるコンテンツ（メッセージ、当該情報に対応する施設ＦＡに関連するＵＲＬなど）を、施設ＦＡごとに（施設ＩＤごとに）記録したものである。
情報コンテンツテーブルＴＡのコンテンツに含まれるメッセージやＵＲＬは、現地の言語（本実施形態では、日本語）だけでなく、他の言語のものも用意されるのが望ましい。
この場合には、ユーザー情報テーブルＴＵにおける使用言語に対応して、情報送信サーバー３０から携帯端末Ａに送信するメッセージなどの言語を使用者が所望するものに合わせることも可能になる。
【００３５】
施設情報テーブルＴＳ、配信用通信装置情報テーブルＴＤ、情報コンテンツテーブルＴＡ、抽出条件テーブルＴＥ、カテゴリーテーブルＴＣは、情報送信サーバー３０と通信可能な端末Ｂを介して設定される。
【００３６】
ユーザー情報テーブルＴＵは、携帯端末Ａのいずれかを介して設定された第３情報ｉ３が、情報送信サーバー３０に送信されることによって、更新される。
通信記録テーブルＴＴは、携帯端末Ａが集計用通信装置Ｃのいずれかと通信し、携帯端末Ａから情報送信サーバー３０に第１情報（集計用通信装置関連通信情報）ｉ１が送信されることによって、更新される。
【００３７】
携帯端末Ａのそれぞれには、情報受信制御プログラムがインストールされていて、当該情報受信制御プログラムの実行時には、集計用通信装置Ｃや配信用通信装置Ｄと近距離無線通信を行い、通信時に当該通信装置の識別情報（識別子）を取得する。取得した通信装置の識別情報は、情報送信サーバー３０に送信される。
【００３８】
携帯端末Ａが、集計用通信装置Ｃのいずれかと通信し、通信した集計用通信装置Ｃの識別情報を取得した時、当該携帯端末Ａは、第１情報ｉ１（当該携帯端末Ａの識別情報と、当該携帯端末Ａで情報受信制御プログラムにログインされているユーザーの識別情報（ユーザーＩＤ）と、通信した集計用通信装置Ｃの識別情報）を、集計用通信装置Ｃを介さずに、ネットワークを介して、情報送信サーバー３０に送信する。
【００３９】
例えば、ユーザーＩＤ：１の使用者がログインした第１携帯端末Ａ１が、第２集計用通信装置Ｃ２と通信した場合には、第１携帯端末Ａ１は、第１情報ｉ１として、第１携帯端末Ａ１の識別情報と、ユーザーＩＤ：１と、第２集計用通信装置Ｃ２の識別情報（通信装置識別子）：ｃ３１ｅｐｓを情報送信サーバー３０に送信する。
【００４０】
携帯端末Ａが、配信用通信装置Ｄのいずれかと通信し、通信した配信用通信装置Ｄの識別情報を取得した時、当該携帯端末Ａは、第２情報ｉ２（当該携帯端末Ａの識別情報と、当該携帯端末Ａで情報受信制御プログラムにログインされているユーザーの識別情報（ユーザーＩＤ）と、通信した配信用通信装置Ｄの識別情報）を、配信用通信装置Ｄを介さずに、ネットワークを介して、情報送信サーバー３０に送信する。
【００４１】
例えば、ユーザーＩＤ：４の使用者がログインした第５携帯端末Ａ５が、第３配信用通信装置Ｄ３と通信した場合には、第５携帯端末Ａ５は、第２情報ｉ２として、第５携帯端末Ａ５の識別情報と、ユーザーＩＤ：４と、第３配信用通信装置Ｄ３の識別情報（通信装置識別子）：ｄ３３２ｑａを情報送信サーバー３０に送信する。
【００４２】
また、携帯端末Ａの使用者は、携帯端末Ａにインストールされた情報受信制御プログラムを介して、ユーザー情報項目テーブル群ＴＸで設定された選択項目に基づいて、当該使用者に関する情報（生年月日、出身地、使用言語、職業、嗜好（趣味、好きな色、好きな季節、好きな天気、好きな時間帯、好きなファッション、好きなブランド、好きな食べ物など））を入力し、第３情報ｉ３（当該携帯端末Ａの識別情報と、使用者のユーザーＩＤと、当該使用者に関する情報）を、集計用通信装置Ｃや配信用通信装置Ｄを介さずに、ネットワークを介して、情報送信サーバー３０に送信する。
ただし、当該使用者に関する情報は、個人を特定出来る情報（使用者の氏名、住所など）は含まない。
【００４３】
情報送信サーバー３０が、携帯端末Ａから情報の送信を受けた時、情報送信サーバー３０は、情報の種別（第１情報ｉ１、第２情報ｉ２、第３情報ｉ３）を判別する（図２２のステップＳ１１、Ｓ１４参照）。
【００４４】
情報送信サーバー３０が携帯端末Ａから第１情報ｉ１を受信した場合には、情報送信サーバー３０は、第１情報ｉ１と施設情報テーブルＴＳに基づいて、第１情報ｉ１に含まれる集計用通信装置Ｃが設置された場所の天気や気温などの気象情報（集計用通信装置気象情報）を取得する（図２２のステップＳ１２参照）。
【００４５】
例えば、第１携帯端末Ａ１を保持する使用者（ユーザーＩＤ：１）が、第２施設ＦＡ２に入り、第２施設ＦＡ２に対応する第２集計用通信装置Ｃ２の近く来た場合には、第１携帯端末Ａ１は、第２集計用通信装置Ｃ２と通信し、第１携帯端末Ａ１の識別情報とユーザーＩＤ：１と第２集計用通信装置Ｃ２の識別情報（通信装置識別子：ｃ３１ｅｐｓ）を含む第１情報ｉ１を情報送信サーバー３０に送信する。
第１携帯端末Ａ１から、第１携帯端末Ａ１の識別情報とユーザーＩＤ：１と第２集計用通信装置Ｃ２の識別情報を含む第１情報ｉ１を受信した後、情報送信サーバー３０は、第２集計用通信装置Ｃ２が設置された場所（第２施設ＦＡ２の近く）の気象情報を取得する。
【００４６】
気象情報の取得は、場所ごとの気象情報を提供する気象情報サーバーＥにアクセスする形態が考えられる。
また、集計用通信装置Ｃの近くに、気象に関する情報（温度、湿度、降水量、積雪量、風向き、風速、視程（大気の見通し）、カメラ画像（計測器が設置された周囲の画像））を所定の時刻に取得する計測器（温度計、湿度計、降水量計、積雪計、風速計、視程計、カメラなど）を設け、情報送信サーバー３０が、当該計測器から送られてくる気象に関する情報に基づいて、気象情報を取得する形態であってもよい。
【００４７】
気象情報取得後、情報送信サーバー３０は、気象情報（集計用通信装置気象情報）と第１情報ｉ１と施設情報テーブルＴＳに基づいて、通信記録テーブル（行動統計テーブル）ＴＴを更新する（図２２のステップＳ１３参照）。
【００４８】
通信記録テーブルＴＴでは、集計用通信装置Ｃから識別情報を取得した携帯端末Ａの使用者のユーザーＩＤと、当該集計用通信装置Ｃに対応する施設ＦＡの識別情報（施設ＩＤ）と、情報送信サーバー３０が第１情報ｉ１を受信した日時（受信時間情報）と、気象情報（天気に対応する天気コード、気温）が記録される。
【００４９】
図１８の通信記録テーブルＴＴの１行目は、ユーザーＩＤ：１４７の使用者の携帯端末Ａが、施設ＩＤ：４３に対応する集計用通信装置Ｃの識別情報を取得し、情報送信サーバー３０が第１情報ｉ１を２０１５年４月２日７時００分に受信し、施設ＩＤ：４３に対応する集計用通信装置Ｃの近くの天気が晴れ（天気コード：１）で気温が１３．１度であったことを示している。
【００５０】
情報送信サーバー３０が携帯端末Ａから第２情報ｉ２を受信した場合には、情報送信サーバー３０は、第２情報ｉ２とユーザー情報テーブルＴＵと施設情報テーブルＴＳと配信用通信装置情報テーブルＴＤと配信用通信装置気象情報と通信記録テーブルＴＴと所定の抽出条件（抽出条件テーブルＴＥ、図２０参照）に基づいて、情報送信を行う（図２２のステップＳ１４〜Ｓ１９参照）。
【００５１】
ここでは、第２情報ｉ２を送信した第１携帯端末Ａ１が、識別番号（ユーザーＩＤ：１（性別が男（性別コード：０）、年齢が３３歳（生年月日と現時点（２０１６年）との差異から算出）、出身地が大分県（出身地コード：４４）、使用言語が日本語（言語コード：１）、趣味が音楽鑑賞（趣味コード：２２４）とスノーボードやスキーをすること（趣味コード：１８１）とサッカーをすること（趣味コード：７１）である）の使用者によって使用されていて、第１携帯端末Ａ１が第１配信用通信装置Ｄ１と通信し、その後に第２情報ｉ２を情報送信サーバー３０に送信した例を説明する。
【００５２】
情報送信として、情報送信サーバー３０は、第２情報ｉ２と配信用通信装置情報テーブルＴＤに基づいて、第２情報ｉ２に含まれる配信用通信装置Ｄが設置された場所の天気や気温などの気象情報（配信用通信装置気象情報）を取得する（図２２のステップＳ１５参照）。
【００５３】
例えば、第１携帯端末Ａ１を保持する使用者（ユーザーＩＤ：１）が、第１配信用通信装置Ｄ１の近く来た場合には、第１携帯端末Ａ１は、第１配信用通信装置Ｄ１と通信し、第１携帯端末Ａ１の識別情報とユーザーＩＤ：１と第１配信用通信装置Ｄ１の識別情報（通信装置識別子：ｄ１３４ｑｉ）を含む第２情報ｉ２を情報送信サーバー３０に送信する。
第１携帯端末Ａ１から、第１携帯端末Ａ１の識別情報とユーザーＩＤ：１と第１配信用通信装置Ｄ１の識別情報を含む第２情報ｉ２を受信した後、情報送信サーバー３０は、第１配信用通信装置Ｄ１が設置された場所の気象情報を取得する。
気象情報の取得は、集計用通信装置Ｃが設置された場所の気象情報の取得と同じである。
ここでは、取得した気象情報として、天気が「晴れ（天気コード：１）」であったとして説明する。
【００５４】
また、情報送信サーバー３０は、ユーザー情報テーブルＴＵ（図１５参照）と、施設情報テーブルＴＳ（図１６参照）と、第２情報ｉ２に含まれる配信用通信装置Ｄが設置された場所の気象情報（配信用通信装置気象情報）とに基づいて、通信記録テーブルＴＴ（図１８参照）の中から、第２情報ｉ２を送信した携帯端末Ａの使用者に関する情報と当該所定の抽出条件において重複する通信記録を抽出する（抽出工程、図２２のステップＳ１６参照））。
【００５５】
所定の抽出条件は、予め、端末Ｂを介して、抽出条件テーブルＴＥに設定されたものが用いられる。
ここでは、抽出条件テーブルＴＥのパターン１：「性別が同じ」、「年齢が近い（年齢差が５歳以内）」、「天気が同じ」を所定の抽出条件とするが、他の抽出条件（例えば、抽出条件テーブルＴＥのパターン２：「出身地が同じ」、「趣味が同じ」を所定の抽出条件とする形態であってもよい。
【００５６】
抽出条件テーブルＴＥの中から、所定の抽出条件として用いるパターンは、総ての送信対象の情報について、同じもの（例えば、パターン１）が用いられる形態であってもよいし、情報ごとに設定される形態であってもよい（例えば、コンテンツＩＤ：１はパターン１、コンテンツＩＤ：２はパターン２など）。
【００５７】
図２３は、抽出条件テーブルＴＥにおけるパターン１を所定の抽出条件として抽出工程を行った例で、図１８の通信記録テーブルＴＴの中で、第２情報ｉ２を送信した第１携帯端末Ａ１の使用者（ユーザーＩＤ：１）と性別が同じ（性別コード：０）で、当該使用者の年齢３３歳に対して年齢差が５歳以内（２８歳〜３８歳）で、天気が晴れ（天気コード：１）である通信記録を抽出工程の結果として、太字で且つ斜体字で表している。
【００５８】
図２４は、抽出条件テーブルＴＥにおけるパターン２を所定の抽出条件として抽出工程を行った例で、図１８の通信記録テーブルＴＴの中で、第２情報ｉ２を送信した第１携帯端末Ａ１の使用者（ユーザーＩＤ：１）と出身地が同じ（出身地コード：４４）で、当該使用者と少なくとも趣味の一つが同じ（趣味コード：７１、１８１、２２４）である通信記録を抽出工程の結果として、太字で且つ斜体字で表している。
【００５９】
情報送信サーバー３０は、抽出工程で抽出された通信記録の中から、多く抽出された施設種類（メインカテゴリー、サブカテゴリー）を特定する（特定工程、図２２のステップＳ１７参照）。
【００６０】
例えば、抽出工程で抽出された通信記録における所定数以上を占める施設種類、若しくは所定割合以上を占める施設種類が特定される。
ここでは、外食産業（メインカテゴリーコード：３）のカフェ（サブカテゴリーコード：４）が、特定工程で特定されたもの（抽出した通信記録における所定数以上を占める施設種類）として説明する。
ただし、特定工程で特定される施設種類は複数であってもよい。
【００６１】
情報送信サーバー３０は、施設情報テーブルＴＳ（図１６参照）の施設種類や位置情報と、配信用通信装置情報テーブルＴＤ（図１７参照）の位置情報と、情報コンテンツテーブルＴＡ（図１９参照）とに基づいて、特定工程で特定された施設種類に属する施設ＦＡであって、第２情報ｉ２に含まれる配信用通信装置Ｄから一定距離ｄの範囲内（例えば、半径１ｋｍ以内）にあり、且つ情報送信対象のコンテンツ（メッセージなど）が情報コンテンツテーブルＴＡに記録されているものがあるかを判断し、ある場合には、当該第２情報ｉ２を送信した携帯端末Ａ（当該第２情報ｉ２を送信した携帯端末ＡにログインしていたユーザーＩＤ）に対して、該当する施設ＦＡに関する情報（メッセージなど）を送信する（図２２のステップＳ１８、Ｓ１９参照）。
当該施設ＦＡに関する情報の送信は、集計用通信装置Ｃや配信用通信装置Ｄを介さずに、ネットワークを介して行われる。
【００６２】
メッセージの送信は、プッシュ通知で、携帯端末Ａにインストールされた情報受信制御プログラムを介して行われるのが望ましいが、携帯端末Ａの電話番号に対応するＳＭＳ、メールアドレスに対応する電子メールを介して行われる形態であってもよい。この場合には、ユーザー情報テーブルＴＵに、電話番号やメールアドレスが記録される。
【００６３】
メッセージには、施設ＦＡに関する簡易な文字情報と、関連するＵＲＬに対応するハイパーリンクが含まれ、当該メッセージが送られた携帯端末上で、当該ハイパーリンクがクリックされると、当該施設ＦＡに関するホームページが表示される。
【００６４】
例えば、第１配信用通信装置Ｄ１の識別情報を含む第２情報ｉ２を送信した第１携帯端末Ａ１に対して、第１配信用通信装置Ｄ１の近くにあり、情報送信対象のコンテンツ（メッセージなど）が情報コンテンツテーブルＴＡに記録されている第３施設ＦＡ３（施設ＩＤ：３、外食産業（メインカテゴリーコード：３）、カフェ（サブカテゴリーコード：４））に関する情報（コンテンツＩＤ：３１）として、文字情報：一杯いかがですか？、ＵＲＬ：ｈｔｔｐ：ｗｗｗ．ｈｉｊ．ｊｊに対応するハイパーリンクを含むメッセージが送信される。
【００６５】
これにより、配信用通信装置Ｄの近くに居る使用者の携帯端末Ａに対して当該使用者の行動傾向に合わせた情報を提供することが可能になる。
特に、使用者の行動傾向には、使用者本人の属性や嗜好だけでなく、当該使用者の属性や嗜好に近い他人の行動傾向（例：使用者と同性で同年代の人は、晴れの日にカフェに行く傾向が強いなど）も含まれるため、使用者本人が気づいていない（ユーザー情報テーブルＴＵに設定されていない）嗜好なども含めた行動傾向に基づいて、使用者の属性や嗜好と関連性が高い情報（使用者が興味を示す可能性が高い情報）を提供することが可能になる。
【００６６】
メッセージは、現地の言語（本実施形態では、日本語）で表記されたものが使用される形態であってもよいし、他の言語のメッセージが用意された場合には、ユーザー情報テーブルＴＵで設定された使用言語で、メッセージの送信が行われる形態であってもよい。
【００６７】
情報送信サーバー３０が携帯端末Ａから第３情報ｉ３を受信した場合には、情報送信サーバー３０は、第３情報ｉ３に基づいて、記録部３３のユーザー情報テーブルＴＵを更新する（図２２のステップＳ１４、Ｓ２０参照）。
【００６８】
本実施形態では、情報送信サーバー３０は、ユーザー情報テーブルＴＵと施設情報テーブルＴＳと配信用通信装置情報テーブルＴＤと配信用通信装置気象情報と通信記録テーブルＴＴとに基づいて、第２情報ｉ２に含まれる識別情報に対応する配信用通信装置Ｄから一定距離ｄの範囲内にあって、集計用通信装置Ｃを設置した施設ＦＡに関する情報を、第２情報ｉ２を送信した携帯端末Ａに送信する形態を説明した。
【００６９】
すなわち、情報送信において、抽出工程や特定工程を行って、通信記録テーブルＴＴの中から、第２情報ｉ２を送信した携帯端末Ａにログインしている使用者の属性や嗜好と似通った他の使用者の行動特性（似通った他人が行く傾向が強い施設）を特定し、当該特定した行動特性に対応する施設ＦＡであって、第２情報ｉ２を送信した携帯端末Ａにログインしている使用者に近いものに関する情報を送信する形態を説明したが、情報送信はこれに限るものではない。
【００７０】
例えば、情報送信サーバー３０は、ユーザー情報テーブルＴＵと施設情報テーブルＴＳと配信用通信装置情報テーブルＴＤに基づいて、第２情報ｉ２に含まれる識別情報に対応する配信用通信装置Ｄから一定距離ｄの範囲内にあって、集計用通信装置Ｃを設置した施設ＦＡに関する情報を、第２情報ｉ２を送信した携帯端末Ａに送信する形態であってもよい。
【００７１】
具体的には、抽出工程や特定工程に代えて、情報送信サーバー３０が、ユーザー情報テーブルＴＵ（図１５参照）における、第２情報ｉ２を送信した携帯端末Ａにログインしている使用者に関するものから、特定の項目（趣味、好きなファッションなど）に対応する施設ＦＡを、施設情報テーブルＴＳ（図１６参照）から抽出し、当該抽出した施設ＦＡであって、第２情報ｉ２を送信した携帯端末の使用者に近いものに関する情報を送信する形態が考えられる。
【００７２】
例えば、第２情報ｉ２を送信した第１携帯端末Ａ１が、識別番号（ユーザーＩＤ：１（性別が男（性別コード：０）、年齢が３３歳（生年月日と現時点（２０１６年）との差異から算出）、出身地が大分県（出身地コード：４４）、使用言語が日本語（言語コード：１）、趣味が音楽鑑賞（趣味コード：２２４）とスノーボードやスキーをすること（趣味コード：１８１）とサッカーをすること（趣味コード：７１）である）の使用者によって使用されていて、特定の項目が「趣味」と設定されている場合には、情報送信サーバー３０は、特定の項目に対応する施設ＦＡとして、施設情報テーブルＴＳにおける項目のいずれか（施設メインカテゴリー、施設サブカテゴリー、関連する趣味など）に、音楽鑑賞（趣味コード：２２４）とスノーボードやスキーをすること（趣味コード：１８１）とサッカーをすること（趣味コード：７１）の少なくとも１つが含まれている施設ＦＡを抽出し、当該抽出した施設ＦＡであって、第２情報ｉ２を送信した第１携帯端末Ａ１に近いものに関する情報を送信する。
【００７３】
この場合に、趣味コードが完全に一致するものだけでなく、上位概念や下位概念を考慮して、ユーザー情報テーブルＴＵで設定された趣味（例えば、音楽鑑賞）と関連する別の趣味（例えば、楽器演奏）に対応した趣味コードが含まれる施設ＦＡも抽出される形態であってもよい。
【００７４】
特定の項目は、端末Ｂを介して予め設定され、情報送信サーバー３０の記録部３３に記録される。
特定の項目として用いられるものは、総ての送信対象の情報について、同じもの（例えば、趣味）が用いられる形態であってもよいし、情報ごとに設定される形態であってもよい（例えば、コンテンツＩＤ：１は趣味、コンテンツＩＤ：２は年齢と性別など）。
【００７５】
また、本実施形態では、情報送信サーバー３０が、施設情報テーブルＴＳと配信用通信装置情報テーブルＴＤと情報コンテンツテーブルＴＡとに基づいて、特定工程で特定された総ての施設種類に属する施設について、第２情報ｉ２に含まれる配信用通信装置Ｄから一定距離ｄの範囲内にあり、且つ情報送信対象のコンテンツ（メッセージなど）が情報コンテンツテーブルＴＡに記録されているものがあるかを判断し、ある場合には、当該第２情報ｉ２を送信した携帯端末Ａ（当該第２情報ｉ２を送信した携帯端末ＡにログインしていたユーザーＩＤ）に対して、該当する施設に関する情報（メッセージなど）を送信する形態を説明した。
【００７６】
ただし、情報送信サーバー３０は、施設情報テーブルＴＳと、配信用通信装置情報テーブルＴＤと、情報コンテンツテーブルＴＡとに基づいて、特定工程で特定された施設種類のうち一定条件下に該当する施設種類を除いたものに属する施設について、第２情報ｉ２に含まれる配信用通信装置Ｄから一定距離ｄの範囲内にあり、且つ情報送信対象のコンテンツ（メッセージなど）が情報コンテンツテーブルＴＡに記録されているものがあるかを判断し、ある場合には、当該第２情報ｉ２を送信した携帯端末Ａ（当該第２情報ｉ２を送信した携帯端末ＡにログインしていたユーザーＩＤ）に対して、該当する施設に関する情報（メッセージなど）を送信する形態であってもよい
【００７７】
すなわち、情報送信サーバー３０が第２情報ｉ２を受信した時から第１時間（例えば、３時間）以内に、第２情報ｉ２を送信した携帯端末Ａが、第１情報ｉ１を送信していた場合には、情報送信サーバー３０は、携帯端末Ａが送信した第１情報ｉ１に含まれる識別情報に対応する集計用通信装置Ｃが設置された施設ＦＡの施設種類（第１施設種類）と予め設定された施設種類（第２種類）とで一致した施設種類（第３施設種類）に関する情報と、ユーザー情報テーブルＴＵと施設情報テーブルＴＳと配信用通信装置情報テーブルＴＤと通信記録テーブルＴＴに基づいて、施設ＦＡに関する情報を、第２情報ｉ２を送信した携帯端末Ａに送信する。
第３施設種類が、前述の一定条件下に該当する施設種類となる。
【００７８】
さらに具体的には、情報送信サーバー３０は、第２情報ｉ２に含まれる識別情報に対応する配信用通信装置Ｄから一定距離ｄの範囲内にあって、集計用通信装置Ｃを設置した施設ＦＡであって、特定工程で特定された施設種類から第３施設種類を除外したものに属する施設ＦＡに関する情報を、第２情報ｉ２を送信した携帯端末Ａに送信する。
【００７９】
例えば、予め情報送信サーバー３０の記録部３３には、予め設定された施設種類（第２施設種類）として、外食産業（メインカテゴリーコード：３）が記録され、且つ、情報送信サーバー３０が第２情報ｉ２を受信した時から第１時間以内に、第２情報ｉ２を送信した携帯端末Ａが、施設種類：外食産業（メインカテゴリーコード：３）に属する施設ＦＡと、施設種類：アパレル（メインカテゴリーコード：４）に属する施設ＦＡを訪れて、これらの施設ＦＡに対応する集積用通信装置Ｃの識別情報を含む第１情報ｉ１を情報送信サーバー３０に送信していたとする（第１施設種類；外食産業とアパレル）。
【００８０】
この場合には、第１施設種類と第２施設種類とで一致した施設種類：外食産業が第３施設種類となり、特定工程で特定された施設種類に属する施設ＦＡであっても、施設種類が外食産業に属するものについては、施設ＦＡに関する情報の送信対象から除外される。
すなわち、情報送信サーバー３０は、特定工程で特定された施設種類であって且つ施設種類が外食産業でないもので、第２情報ｉ２に含まれる識別情報に対応する配信用通信装置Ｄから一定距離ｄの範囲内にあるもの（例えば、施設種類：アパレルに属する施設ＦＡ）に関する情報を、第２情報ｉ２を送信した携帯端末Ａに送信する。
【００８１】
これにより、食事を取ってから数時間しか経っていない時に再度別の食事を促すメッセージを送信するケースのように、何度も施設ＦＡに関するメッセージが送信されることが好ましく無いケースを除外して、配信用通信装置Ｄの近くに居る使用者の携帯端末Ａに対して当該使用者の行動傾向に合わせた情報を提供することが可能になる。
【符号の説明】
【００８２】
１  情報送信システム
３０  情報送信サーバー
３１  通信部
３３  記録部
３５  制御部
Ａ  携帯端末
Ａ１〜Ａ５  第１携帯端末〜第５携帯端末
Ｂ  端末（テーブル設定用端末）
Ｃ  集計用通信装置
Ｃ１〜Ｃ８  第１集計用通信装置〜第８集計用通信装置
Ｄ  配信用通信装置
Ｄ１〜Ｄ３  第１配信用通信装置〜第３配信用通信装置
Ｅ  気象情報サーバー
ＦＡ１〜ＦＡ８  第１施設〜第８施設
ｉ１  第１情報（集計用通信装置関連通信情報）
ｉ２  第２情報（配信用通信装置関連通信情報）
ｉ３  第３情報
Ｔ１〜Ｔ１３  第１テーブル〜第１３テーブル
ＴＡ  情報コンテンツテーブル
ＴＣ  カテゴリーテーブル
ＴＤ  配信用通信装置情報テーブル
ＴＥ  抽出条件テーブル
ＴＳ  施設情報テーブル
ＴＴ  通信記録テーブル（行動統計テーブル）
ＴＵ  ユーザー情報テーブル
ＴＸ  ユーザー情報項目テーブル群
ＴＹ  情報送信テーブル群
【図１】
2017204051.tif 000003
【図２】
2017204051.tif 000004
【図３】
2017204051.tif 000005
【図４】
2017204051.tif 000006
【図５】
2017204051.tif 000007
【図６】
2017204051.tif 000008
【図７】
2017204051.tif 000009
【図８】
2017204051.tif 000010
【図９】
2017204051.tif 000011
【図１０】
2017204051.tif 000012
【図１１】
2017204051.tif 000013
【図１２】
2017204051.tif 000014
【図１３】
2017204051.tif 000015
【図１４】
2017204051.tif 000016
【図１５】
2017204051.tif 000017
【図１６】
2017204051.tif 000018
【図１７】
2017204051.tif 000019
【図１８】
2017204051.tif 000020
【図１９】
2017204051.tif 000021
【図２０】
2017204051.tif 000022
【図２１】
2017204051.tif 000023
【図２２】
2017204051.tif 000024
【図２３】
2017204051.tif 000025
【図２４】
2017204051.tif 000026